(57)【要約】【課題】本発明は顔に装着して美容効果を増進させるのに用いる美顔用マスク及びその製造方法に関し、電極パッドを用いた美顔効果が顔全体にわたり均一に及ぶようにすることを課題とする。【解決手段】被装着者Ａの顔に装着される美顔用マスクであって、マスク本体１１の内面１０ａの形状を被装着者Ａの顔形状に一致した形状とすると共に、マスク本体１１の外面１０ｂに温熱用パッド１５を形成する。また、マスク本体１１を均等に加熱しうる位置に複数の温熱用パッド１５を分散させて配置する。【選択図】  図１
2011120674.tif 000002
【特許請求の範囲】
【請求項１】
被装着者の顔を覆うように装着される美顔用マスクであって、
マスク本体の内面形状を、前記被装着者の個々の顔形状に一致した形状とし、
前記マスク本体の外面又は内面の少なくとも一方に、電極パッドを形成したことを特徴とする美顔用マスク。
【請求項２】
前記電極パッドは、加熱用パッドである請求項１記載の美顔用マスク。
【請求項３】
前記電極パッドは加熱用パッドであり、
該加熱用パッドを前記マスク本体を均等に加熱しうる位置に、分散させて複数個配置したことを特徴とする請求項１又は２記載の美顔用マスク。
【請求項４】
前記加熱用パッドの形状を、十字形状、星形状、手裏剣形状、又は葉脈形状のいずかよりなる形状としたことを特徴とする請求項１乃至３のいずれか一項に記載の美顔用マスク。
【請求項５】
前記マスク本体に、高熱伝導性素材を混入してなる請求項１乃至４のいずれか一項に記載の美顔用マスク。
【請求項６】
前記電極パッドは、イオン導入用パッドであることを特徴とする請求項１記載の美顔用マスク。
【請求項７】
被装着者の顔を覆うように装着される美顔用マスクの製造方法であって、
撮像装置と画像生成装置とを有する三次元計測ユニットを用い、前記被装着者の顔の三次元画像データを取り込むステップと、
前記三次元画像データを加工装置に送り、該加工装置により前記被装着者の三次元画像データに基づき前記被装着者の顔形状に対応したマスク本体の成形を行うステップと、
成形された前記マスク本体に電極パッドを形成するステップとを有し、
前記電極パッドを形成するステップは、
前記電極パッドとなる金属材を前記マスク本体の内面又は外面の少なくとも一方に金属膜を形成するステップと、
該金属膜をエッチングすることにより、前記マスク本体の内面又は外面に複数の前記電極パッドと、該複数の電極パッドを接続する配線を形成するステップとを有することを特徴とする美顔用マスクの製造方法。
【請求項８】
前記マスク本体の成形を行うステップでは、真空成形装置を用いて前記マスク本体を真空成形法を用いて形成することを特徴とする請求項７記載の美顔用マスクの製造方法
【発明の詳細な説明】
【技術分野】
【０００１】
本発明は美顔用マスク及びその製造方法に係り、特に顔に装着して美容効果を増進させるのに用いる美顔用マスク及びその製造方法に関する。
【背景技術】
【０００２】
一般に、美顔の方法として、顔の皮膚を暖めることによる温熱効果で、血行を促進すると共に筋肉をほぐすことが行われている。この顔の皮膚に温熱を与える方法としては、例えば蒸しタオルを用い、これを顔に当てることが従来から行われている。しかしながら、この方法では蒸しタオルが比較的短時間に温度低下してしまうため、一定の美容効果を得るためには何度も蒸しタオルを交換する必要があり、その処理が面倒であった。
【０００３】
そこで、電流を流すことにより発熱する発熱体をマスクに内装し、このマスクを顔に装着することにより温熱効果を長時間にわたり連続的に実現できる美顔用マスクが提供されるようになってきている（特許文献１）。この美顔用マスクは、シリコン或いはウレタン等の可撓性を有するマスク本体に、不織布からなる基板上に発熱体となる導電線が印刷された面状発熱体を配設した構成とされていた。
【先行技術文献】
【特許文献】
【０００４】
【特許文献１】特開平０９−１２２１６６号公報
【発明の概要】
【発明が解決しようとする課題】
【０００５】
しかしながら、従来ではマスクの大きさは通常Ｌ，Ｍ，Ｓの３タイプ程度の大きさしか用意されていないのが一般的であり、マスクを装着する個々の使用者の顔に対応して個々にマスクを作成することは行われていなかった。
【０００６】
また、従来の美顔用マスクでは、顔の表面とマスク本体との間に形成される隙間が一定の間隔ではなく、間隔が広い部分では温熱効果は低減してしまう。よって、従来の美顔用マスクでは、顔全体にわたり均一の温熱効果を得ることができないという問題点があった。
【０００７】
本発明は上記の点に鑑みてなされたものであり、電極パッドを用いた美顔効果が顔全体にわたり均一に及ぶようにした美顔用マスク及びその製造方法を提供することを目的とする。
【課題を解決するための手段】
【０００８】
上記の課題は、第１の観点からは、
被装着者の顔を覆うように装着される美顔用マスクであって、
マスク本体の内面形状を、前記被装着者の個々の顔形状に一致した形状とし、
前記マスク本体の外面又は内面の少なくとも一方に、電極パッドを形成したことを特徴とする美顔用マスクにより解決することができる。
【０００９】
また上記の課題は、第２の観点からは、
被装着者の顔を覆うように装着される美顔用マスクの製造方法であって、
撮像装置と画像生成装置とを有する三次元計測ユニットを用い、前記被装着者の顔の三次元画像データを取り込むステップと、
前記三次元画像データを加工装置に送り、該加工装置により前記被装着者の三次元画像データに基づき前記被装着者の顔形状に対応したマスク本体の成形を行うステップと、
成形された前記マスク本体に電極パッドを形成するステップとを有し、
前記電極パッドを形成するステップは、
前記電極パッドとなる金属材を前記マスク本体の内面又は外面の少なくとも一方に金属膜を形成するステップと、
該金属膜をエッチングすることにより、前記マスク本体の内面又は外面に複数の前記電極パッドと、該複数の電極パッドを接続する配線を形成するステップとを有することを特徴とする美顔用マスクの製造方法により解決することができる。
【発明の効果】
【００１０】
開示の美顔用マスクによれば、マスク本体の内面が被装着者の個々の顔形状に一致した形状を有しているため、被装着者の顔に隙間なく密着させることが可能となる。よって、被装着者の顔に対して電極パッドによる作用をむらなく作用させることができる。
【００１１】
また、開示の美顔用マスクの製造方法によれば、マスク本体の内面を被装着者の個々の顔形状に一致した形状とすることによりマスク本体の内面及び外面の形状が複雑な形状となるが、マスクに形成した金属膜をエッチングにより成形して電極パッドを形成することにより容易かつ確実に電極パッドを形成することができる。
【図面の簡単な説明】
【００１２】
【図１】図１（Ａ）は本発明の第１実施形態である美顔用マスクを装着している状態を示す部分断面図であり、図１（Ｂ）本発明の第１実施形態である美顔用マスクの斜視図である。
【図２】図２は、本発明の第１実施形態である美顔用マスクの製造方法を説明するための図である（その１）。
【図３】図３は、本発明の第１実施形態である美顔用マスクの製造方法を説明するための図である（その２）。
【図４】図４は、本発明の第１実施形態である美顔用マスクの製造方法を説明するための図である（その３）。
【図５】図５は、本発明の第１実施形態である美顔用マスクの製造方法を説明するための図である（その４）。
【図６】図６は、本発明の第１実施形態である美顔用マスクの製造方法を説明するための図である（その５）。
【図７】図７は、本発明の第１実施形態である美顔用マスクの製造方法を説明するための図である（その６）。
【図８】図８は、本発明の第１実施形態である美顔用マスクの製造方法を説明するための図である（その７）。
【図９】図９（Ａ）〜（Ｃ）は、温熱パッドの各種形状を示す図である。
【図１０】図１０（Ａ）は葉脈形状の温熱パッドを示す図であり、図１０（Ｂ）は葉脈形状の温熱パッドをマスク本体に装着した状態を示す図である。
【図１１】図１１は、本発明の第２実施形態である美顔用マスクを装着している状態を示す部分断面図である。
【発明を実施するための形態】
【００１３】
次に、本発明の実施の形態について図面と共に説明する。
【００１４】
図１（Ａ）は、被装着者Ａが本発明の第１実施形態である美顔用マスク１０を装着した状態を示しており、また図１（Ｂ）は美顔用マスク１０の外観を示している。図１（Ａ）に示すように、美顔用マスク１０は被装着者Ａの顔を覆うように装着される美顔用のマスクである。
【００１５】
美顔用マスク１０は、マスク本体１１と電極パッド１５とを有した構造とされている。マスク本体１１は、本実施形態ではアモルファス・ポリエチレンテレフタレート（Ａ−ＰＥＴ）、ポリ塩化ビニル（ＰＶＣ）、発泡ポリエチレン（発泡ＰＥ）等の樹脂に高熱伝導性素材を混入した構成としている（これについては後に詳述する）。成形品である。よってマスク本体１１は、容易に可撓変形しない程度の剛性を有している。また、マスク本体１１は、被装着者Ａの鼻及び口に対向する位置に通気孔（図示せず）が設けられており、美顔用マスク１０の装着時に被装着者Ａが息苦しくならないよう構成されている。
【００１６】
また、本実施形態に係る美顔用マスク１０は、マスク本体１１の内面１０ａが被装着者Ａの顔形状に一致した形状を有するよう構成されている。即ち、個々の被装着者Ａはそれぞれ異なる顔立ちを有し、よって顔表面の形状（凹凸）も異なっている。本実施形態では美顔用マスク１０をいわゆるオーダーメードで製造することにより、その内面１０ａを個々の被装着者Ａの顔表面の形状に一致させた（沿った）形状としている。
【００１７】
これにより、被装着者Ａが美顔用マスク１０を装着した際、美顔用マスク１０は被装着者Ａの顔にフィットした（密着した）状態となる。ここで、美顔用マスク１０が被装着者Ａの顔にフィットするとは、美顔用マスク１０（マスク本体１１）の内面１０ａと被装着者Ａの顔表面とが接触した状態或いは一定の間隔以下（例えば１mm以下）である状態をいうものとする。
【００１８】
電極パッド１５は、電流を流すことにより発熱する発熱導体により形成されている（以下、この電極パッドを温熱用パッドという）。この温熱用パッド１５は、マスク本体１１の外面１０ｂに複数個形成されている。また、複数個の温熱用パッド１５は、図示されない配線で接続されている。よって、この配線に通電することにより、各温熱用パッド１５は加熱する。
【００１９】
また各温熱用パッド１５（１５Ａ）の形状は、本実施形態では図１（Ｂ）及び図９（Ａ）に示すように手裏剣形状（凸部が外側に向け六方に延出した形状）とされている。尚、温熱用パッドの形状は手裏剣形状に限定されるものではなく、図９（Ｂ）に示すような十字形状を有した温熱用パッド１５Ｂとしてもよく、また図９（Ｃ）に示すような星形形状の温熱用パッド１５Ｃとしてもよい。
【００２０】
更に、図９（Ａ）に示すように、複数の延出パッド１５Ｄ−１を有した葉脈状の温熱用パッド１５Ｄとしてもよい。図１０（Ｂ）は、この葉脈状の温熱用パッド１５Ｄをマスク本体に設けた状態を示している。葉脈状の温熱用パッド１５Ｄを用いた場合、マスク本体に対して温熱用パッドを高密度に形成することができ、これによりマスク本体を均一に加熱することが可能となる。尚、延出パッド１５Ｄ−１は、直線状の基部から顔の内側に向け延出した構成であるため、給電用の端子がマスク本体の外周部分に集約されるため、配線の容易化を図ることもできる。
【００２１】
尚、後述するように、温熱用パッド１５（１５Ａ〜１５Ｃ）は、エッチング法を用いて形成される。このため、温熱用パッド１５（１５Ａ〜１５Ｃ）の形状を上記のような複雑な形状としても、容易に形成することができる。
【００２２】
上記構成とされた美顔用マスク１０によれば、マスク本体１１の内面１０ａが被装着者Ａの個々の顔形状に一致した形状を有しているため、被装着者Ａの顔に隙間なく密着させることが可能となる。よって、美顔用マスク１０で温熱用パッド１５により発生した熱を、むらなく被装着者Ａの顔に伝えることができ、効率の高い美顔効果（温熱効果）を高めることができる。
【００２３】
また、マスク本体１１は容易に可撓変形しない程度の剛性を有しているため、その取り扱いが容易となる。また可撓性を有したゴム材等で美顔用マスクを形成した場合は経時的な変形が生じるおそれがあるが、これらに比べて本実施形態に係る美顔用マスク１０は剛性が高い。このため、被装着者Ａの顔表面の形状に一致させた美顔用マスク１０の内面形状が経時的に変形してしまうことを防止でき、美顔用マスク１０の信頼性を高めることができる。
【００２４】
次に、上記構成とされた美顔用マスク１０の製造方法について説明する。
【００２５】
図２乃至図８は、美顔用マスク１０の製造方法を製造手順に沿って示している。美顔用マスク１０を製造するには、先ず被装着者Ａの顔の三次元画像データを取り込む。この被装着者Ａの顔の三次元画像データを取り込むには、図２に示す三次元計測ユニット２０を用いる。三次元計測ユニット２０は、大略するとカメラ２１と画像生成装置２２とを有している。
【００２６】
カメラ２１はＣＣＤカメラであり、被装着者Ａの顔を撮像する。撮像された被装着者Ａの撮像データは、画像生成装置２２に送信される。この際、カメラ２１の解像度は高い方が望ましいが、市販されているデジタルカメラ程度の解像度であっても対応可能である。
【００２７】
本実施形態では、パーソナルコンピュータにより画像生成装置２２を実現している。パーソナルコンピュータには、三次元画像生成用のソフトウェアがインストールされている。そして、この三次元画像生成用ソフトウェアが実行されることにより、カメラ２１から送信された撮像データに基づき被装着者Ａの三次元画像データが生成される。
【００２８】
この被装着者Ａの三次元画像データは、図示しない三次元精密加工装置に送られる。この三次元精密加工装置は多軸（例えば５軸）のマシニングセンターであり、被装着者Ａの三次元画像データに基づき基材を切削加工することにより、被装着者Ａの顔形状に対応した顔モデルを作製する。
【００２９】
図３は、このようにして作製された被装着者Ａの顔モデルを示している。この顔モデルは、後述する美顔用マスク１０を成形する工程において成形型として機能するものである（以下，顔モデルを成形型２３という）。上記の説明から明らかなように、成形型２３の表面２３ａの形状は被装着者Ａの顔形状と一致している。
【００３０】
図４は、成形型２３を用いて美顔用マスク１０の成形を行う工程を示している。美顔用マスク１０の成形処理は、真空成形装置３５を用いて行われる。この真空成形装置３５は、成形型２３、ヒータ２４、マスク素材２５、及び成形用基台２７等により構成されている。
【００３１】
成形型２３は、同図に示すように成形用基台２７の上部に搭載される。成形用基台２７は、成形型２３が搭載される面に多数の吸引孔２８が形成されている。また、成形用基台２７の内部には空間部２７ａが形成されており、吸引孔２８はこの空間部２７ａに連通している。
【００３２】
更に、成形用基台２７の側部に形成された通路２９は図示しない真空ポンプに接続されている。よって、真空ポンプが起動することにより空間部２７ａ内は負圧となり、吸引孔２８の形成位置では吸引処理が行われる。この吸引力により、成形型２３は成形用基台２７に固定される。
【００３３】
マスク素材２５は、美顔用マスク１０となる素材シートである。前記したように、マスク素材２５の材質としては、Ａ−ＰＥＴ、ＰＶＣ、発泡ＰＥ等の樹脂を用いることができる。本実施形態では、マスク素材２５として熱成形性（真空成形性）、ガスバリヤー性、衛生性、耐薬品性等に優れたＡ−ＰＥＴを用いている。
【００３４】
また本実施形態では、マスク本体１１の熱伝導性を高めるために高熱伝導性素材を混入している。具体的には、本実施形態では高熱伝導性素材として株式会社帝人製のラヒーマ（商品名）を混入している。また、混入量は30％（重量）としている。このラヒーマは、約600W/M・kの熱伝導率を有している。
【００３５】
このマスク素材２５の外周は、枠材２６により保持されている。また、マスク素材２５の上部にはヒータ２４が配設されている。マスク素材２５は、このヒータ２４により加熱されて軟化する。
【００３６】
上記構成を有した真空成形装置３５を用いて美顔用マスク１０の成形を行うには、先ず成形型２３を成形用基台２７に装着する。この際、まだ真空ポンプは停止された状態であり、よって吸引力は作用していない。次に、枠材２６を下動させてマスク素材２５を成形型２３の表面２３ａ上に載置させる。
【００３７】
このように、成形用基台２７に対する成形型２３及びマスク素材２５の装着処理が終了すると、ヒータ２４及び真空ポンプが起動される。ヒータ２４が起動することにより、マスク素材２５は加熱されて軟化した状態となる。
【００３８】
尚、本実施形態では、マスク素材２５に対する加熱をマスク素材２５が成形型２３に当接した後に開始する構成を示した。しかしながら、マスク素材２５が成形型２３上に載置する前から、上部に位置するヒータ２４により予熱する構成としてもよい。また、成形型２３の表面に、予め離型材を塗布しておいてもよい。
【００３９】
マスク素材２５を保持する枠材２６は、成形用基台２７に吸着されることにより密着固定される。そして、マスク素材２５は枠材２６の内面で成形用基台２７により真空吸引処理が行われるため、成形型２３の表面２３ａに密着する。この際、前記のようにマスク素材２５はヒータ２４により加熱されることにより軟化しているため、成形型２３の表面２３ａに隙間なく密着した状態となる。
【００４０】
このようにマスク素材２５を成形型２３の表面２３ａに密着させると、ヒータ２４を停止させる。これによりマスク素材２５の温度は低下し、マスク素材２５は樹脂硬化してマスク本体１１が形成される。このようにマスク本体１１が形成されると、図５に示すようにマスク本体１１は成形型２３から離型される。このようにして製造されるマスク本体１１は、その内面１０ａが被装着者Ａの顔形状に一致した形状となる。
【００４１】
続いて、マスク本体１１の外面１０ｂに温熱用パッド１５を形成する処理を行う。温熱用パッド１５を形成するには、先ず温熱用パッド１５となる金属膜１７（本実施形態ではステンレス）をマスク本体１１の外面又は内面の少なくとも一方に形成する。本実施形態では、温熱用パッド１５をマスク本体１１の外面に形成するため、金属膜１７をマスク本体１１の外面に形成している。図８は、マスク本体１１の外面１０ｂに金属膜１７が形成された状態を示している。
【００４２】
上記のようにマスク本体１１に金属膜１７が形成されると、続いてホトレジスト材を金属膜１７上に塗布すると共に、このホトレジスト材をフォトリソグラフィ技術を用いて加工し、温熱用パッド１５及び配線の形状に対応したレジスト１８を形成する。図７は、温熱用パッド１５に対応したレジスト１８が形成された状態を示している。
【００４３】
次に、レジスト１８をマスクとし、露出している金属膜１７をエッチングにより除去する。このエッチング方法は、マスク本体１１に損傷を与えない限り、ドライエッチングでもウェットエッチングでもかまわない。図８は、レジスト１８から露出された金属膜１７がエッチングにより除去された状態を示している。続いて、レジスト１８を除去することにより、図１及び図２に示す美顔用マスク１０が製造される。
【００４４】
上記の本実施形態による美顔用マスク１０の製造方法では、マスク本体１１に高熱伝導性部材であるラヒーマ（商品名）を混入したことにより、マスク本体１１の熱伝導性を高めることができ、温熱用パッド１５で発生した熱をマスク本体１１の全体に均一に熱伝導させることができる。これにより、本実施形態に係る美顔用マスク１０によれば、被装着者Ａの顔の全体にわたり均一の温熱効果を得ることが可能となる。
【００４５】
本実施形態では、金属膜１７をパターニングして温熱用パッド１５を形成する工程においてエッチング法を用いている。このため、金属膜１７をパターニングして温熱用パッド１５を形成する際も、マスク本体１１の内面１０ａ又は外面１０ｂの形状に拘わらず、簡単かつ精度良くパターニング処理を行うことができる。
【００４６】
また本実施形態による美顔用マスク１０の製造方法では、被装着者Ａの顔形状と一致した表面２３ａを有する成形型２３を用いると共に真空成形法により美顔用マスク１０を製造するため、被装着者Ａの顔形状と一致した内面１０ａを有する美顔用マスク１０を容易かつ正確に製造することができる。
【００４７】
また、三次元計測ユニット２０を構成する画像生成装置２２及び真空成形装置３５は被装着者Ａの自宅に設置することは困難であるため、美顔用マスク１０の製造工場等（以下、マスク作製施設という）に設置される。しかしながら被装着者Ａの顔の撮像処理は、上記のように市販されているデジタルカメラにより行うことが可能であるため、自宅で行うことが可能である。
【００４８】
前記のように美顔用マスク１０は個々の被装着者Ａのオーダーメードで製造されるが、デジタルカメラにより撮像した被装着者Ａの画像データ（写真データ）は、ＳＤメモリカード（登録商標）等の記録媒体に記録することにより、又はインターネットを利用して送信することにより、容易にマスク作製施設に送付することができる。よって、オーダーメードの美顔用マスク１０であっても、個々の被装着者に対して美顔用マスク１０を容易かつ確実に提供することができる。
【００４９】
次に、本発明に係る美顔用マスクをイオン導入装置に適用した実施形態について説明する。
【００５０】
図１１は、本発明の第２実施形態である美顔用マスク４０を用いたイオン導入装置５０を示している。尚、図１１において、図１乃至図１０に示した構成と対応する構成については同一符号を付し、その説明を省略する。
【００５１】
イオン導入装置５０は、化粧水の有効成分を皮膚の奥深くまで浸透させる装置である。このイオン導入装置５０は、美顔用マスク４０とイオン導入装置本体５１とにより構成されている。美顔用マスク４０は、マスク本体４１と電極パッド５２とにより構成されている。
【００５２】
マスク本体４１は第１実施形態で説明したマスク本体１１と同一構成である。しかしながら、本実施形態ではマスク本体４１の内面４０ａの全面に導電性金属よりなる電極パッド５２が形成されている。この導電性金属は、体積抵抗率が15Ω・cmであることが望ましい。尚、この電極パッド５２は、ステンレスの立体加工（ダイスレスＮＣフォーミング）やＡＢＳ樹脂立体成形物に対する金属めっき等により実現することも可能である。
【００５３】
一方、イオン導入装置本体５１は、数ミリアンペア程度以下の微弱電流を生成する。このイオン導入装置本体５１のプラス側出力はプラス用電極パッド５４に接続され、マイナス側出力は電極パッド５２に接続されている（以下、電極パッド５２をマイナス用電極パッド５２という）。
【００５４】
ここで、イオン導入について説明する。例えば、化粧水の有効成分としてビタミンＣを例に挙げると、水溶性であるビタミンCが配合された化粧水を単に皮膚に塗布しても、ビタミンCが皮膚の深層まで浸透されにくい。これは、皮膚の角質層には異物の進入を防ぐバリア機能があり、このバリア機能によりビタミンCの浸透が阻止されてしまうからである。
【００５５】
これに対してイオン導入装置５０を用いたイオン導入法は、電気の力を利用して化粧水中の有効成分をバリア層を越えて皮膚の深層まで浸透させる方法である。具体的なイオン導入方法について、図１０を用い、ビタミンＣを被装着者Ａの皮膚に浸透させる例について説明する。
【００５６】
イオン導入を行うには、先ずマイナスイオンであるビタミンCを含む化粧水を顔に塗布する。本実施形態では、不織布よりなる化粧料含浸用マスク３０に化粧水を含浸させ、これを被装着者Ａの顔に装着している。
【００５７】
尚、図中符号３１で示すのはスリットであり、化粧料含浸用マスク３０を被装着者Ａの顔に密着させるために設けられている。また、化粧料含浸用マスク３０には開口部３２が形成されており、その形成位置は被装着者Ａの口及び目の位置に対応している。
【００５８】
美顔用マスク４０は、化粧料含浸用マスク３０を介して被装着者Ａの顔に装着される。前記のように美顔用マスク４０の内面４０ａに形成されたマイナス用電極パッド５２は、被装着者Ａの顔形状に一致した形状となっている。
【００５９】
このため、美顔用マスク４０を装着した際、美顔用マスク１０（マイナス用電極パッド５２）は被装着者Ａの顔にフィットした（密着した）状態となる。また、プラス用電極パッド５４は、被装着者Ａの手に持たせる。
【００６０】
この状態において、イオン導入装置本体５１を起動し、被装着者Ａの顔（皮膚表面）に化粧料含浸用マスク３０を介して接触するマイナス用電極パッド５２にマイナスの電位を持たせると共に、手に持ったプラス用電極パッド５４にプラスの電位を持たせ、数ミリアンペア程度以下の微弱電流を被装着者Ａの人体に通電する。
【００６１】
これにより、マイナスイオンであるビタミンCは、マイナス電位とされたマイナス用電極パッド５２に反発して皮膚の深層方向に向けて移動する。この電気的な力により、マイナスイオンであるビタミンCはバリア層を通過し、皮膚の深層まで浸透する。このイオン導入方法を用いることにより、単に皮膚にビタミンＣを含有する化粧水を塗布する場合に比べ、約３０倍程度の高い浸透力を得ることが可能となる。よって、メラニンの色素沈着防止を効率的に図ることができ、美白効果の向上を図ることができる。
【００６２】
また、薬剤を適宜選定することにより、顔の部分的なケア効果を増大させることが可能となる。例えば、トラネキサム配合の化粧水を目の下に用いることにより、しみのケアを図ることができる。また、毛穴の気になる部分にグリシルグリシン配合の化粧水を用いることにより、開いた毛穴を小さくして肌を滑らかにすることが可能となる。
【００６３】
尚、本実施形態では化粧料含浸用マスク３０に化粧水を含浸させ、これを被装着者Ａの顔に装着した上で美顔用マスク４０を装着することとしているが、化粧料含浸用マスク３０を用いることなく、被装着者Ａの顔に化粧水を塗布した後、直接顔に美顔用マスク４０を装着することとしてもよい。また、プラスイオンの成分を深層に浸透させたい場合には、イオン導入装置本体５１のプラス側出力を電極パッド５２に接続し、マイナス側出力を電極パッド５４に接続することにより、各パッドの極性を逆にすればよい。
【００６４】
上記のように、イオン導入において本実施形態に係る美顔用マスク４０を用いることにより，マイナス用電極パッド５２が被装着者Ａの顔にフィットした状態となるため、顔全面にわたりむらなくイオン導入を行うことができる。
【００６５】
以上、本発明の好ましい実施形態について詳述したが、本発明は上記した特定の実施形態に限定されるものではなく、特許請求の範囲に記載された本発明の要旨の範囲内において、種々の変形・変更が可能なものである。
【００６６】
具体的には、上記した実施形態では温熱用パッド１５及びマイナス用電極パッド５２をエッチング法を用いて形成したが、これに限定されるものではなく、金属製面状発熱体又は導電性層の積層体を熱伝導性粘着テープ、ホットメルト等を用いて絶縁性パッド上に密着固定する構成としてもよい。この際、腐食防止のために、金属製面状発熱体及び導電性層の表裏をポリイミドフィルム等により被覆する構成としてもよい。更に、上記金属製面状発熱体上又は導電性層上に、これと同形状の非伝熱シートを被覆することにより、絶縁性及び防水性を向上させる構成としてもよい。
【００６７】
また、上記した実施形態では、マスク本体１１を剛性を有する材料としたが、記した高熱伝導性素材が混入された弾性変形しうるシリコーンゴムによりマスク本体１１を形成する構成としてもよい。
【００６８】
また、上記した実施形態では、美顔用マスク１０を製造する方法として、画像生成装置２２で生成された被装着者Ａの三次元画像データを三次元精密加工装置に送り成形型２３を形成した後に、これを型として美顔用マスク１０を製造した。しかしながら、美顔用マスク１０の製造方法はこれに限定されるものではなく、型を用いず直接美顔用マスク１０を立体造形する方法を用いることも可能である。
【００６９】
この型を用いることなく造形物の製造を行う技術としては、例えばインクジェット方式のＲＰ造形装置、或いは光造型技術や液体ジェット技術を用いた３次元造型装置を用いることができる。具体的には、インクジェット方式のＲＰ造形装置としては米国Ｚコーポレーション製３Ｄプリンター（商品名：SpectrumZ510-3DPrinter）を用いることができ、また光造型技術や液体ジェット技術を用いた３次元造型装置としてはディーメック社製の光造型装置ＳＣＳ−８０００、ＳＣＳ−３０００等を用いることができる。
【００７０】
これらの型を用いない３次元造型装置を用いることにより、美顔用マスク１０の製造を容易かつ短時間で製造することが可能となる。
【符号の説明】
【００７１】
１０，４０  美顔用マスク
１１，４１  マスク本体
１５，１５Ａ，１５Ｂ，１５Ｃ  温熱パッド
１７  金属膜
１８  レジスト
２０  三次元計測ユニット
２１  カメラ
２２  画像生成装置
２３  成形型
２５  マスク素材
２７  成形用基台
３０  化粧料含浸用マスク
３５  真空成形装置
５０  イオン導入装置
５２  マイナス用電極パッド
５４  プラス用電極パッド
Ａ  被装着者
【図２】
2011120674.tif 000003
【図３】
2011120674.tif 000004
【図４】
2011120674.tif 000005
【図５】
2011120674.tif 000006
【図６】
2011120674.tif 000007
【図７】
2011120674.tif 000008
【図８】
2011120674.tif 000009
【図９】
2011120674.tif 000010
【図１０】
2011120674.tif 000011
【図１１】
2011120674.tif 000012
【図１】
2011120674.tif 000013